(57)【要約】【課題】ネットワークを介して課金管理サーバより光ディスクのコピーを許可するコピー鍵を入手し、光ディスクに記録された映像音声信号を再生して、再生された映像音声信号を磁気テープに有料コピーすることができるようにする。【解決手段】ネットワークを介して課金管理サーバに光ディスクのコンテンツ番号と課金決済口座番号とを送信して、課金管理サーバより該コンテンツ番号の光ディスクのコピーを許可するコピー鍵を受信し、受信されたコピー鍵をリモコン装置に転送して、リモコン装置から送信されたコピー鍵を受信し、リモコン装置から送信されたコピー鍵が光ディスクのコピーを許可するコピー鍵である場合、ＡＧＣ回路をコピーガード信号に応答しないモードに切り換えるようにする。【選択図】　　　　図１
0003096935.tif 000002
【実用新案登録請求の範囲】
【請求項１】
光ディスクに記録された映像音声信号を再生する光ディスク装置と磁気テープに映像音声信号を記録再生する磁気テープ装置とが一体に組み込まれた複合電子装置であって、ネットワークを介して課金管理サーバに光ディスクのコンテンツ番号と課金決済口座番号とを送信して、課金管理サーバより該コンテンツ番号の光ディスクのコピーを許可するコピー鍵を受信する通信手段と、複合電子装置を遠隔操作するリモコン装置に前記通信手段により受信されたコピー鍵を転送する転送手段と、前記リモコン装置から送信されたコピー鍵を受信して、前記リモコン装置から送信されたコピー鍵が光ディスクのコピーを許可するコピー鍵であるか否かを判別するとともに、光ディスクの許可されたコピー回数が終了したか否かを判別する判別手段と、前記判別手段により前記リモコン装置から送信されたコピー鍵が光ディスクのコピーを許可するコピー鍵であると判別された場合、ＡＧＣ回路をコピーガード信号に応答しないモードに切り換え、前記判別手段により前記リモコン装置から送信されたコピー鍵が光ディスクのコピーを許可するコピー鍵でないと判別された場合、或いは前記判別手段により光ディスクの許可されたコピー回数が終了したと判別された場合、ＡＧＣ回路をコピーガード信号に応答するモードに切り換えるモード切換手段とを備えたことを特徴とする複合電子装置。
【請求項２】
光ディスクに記録された映像音声信号を再生する光ディスク装置と磁気テープに映像音声信号を記録再生する磁気テープ装置とが一体に組み込まれた複合電子装置であって、ネットワークを介して課金管理サーバに光ディスクのコンテンツ番号と課金決済口座番号とを送信して、課金管理サーバより該コンテンツ番号の光ディスクのコピーを許可するコピー鍵を受信する通信手段と、複合電子装置を遠隔操作するリモコン装置に前記通信手段により受信されたコピー鍵を転送する転送手段と、前記リモコン装置から送信されたコピー鍵を受信して、前記リモコン装置から送信されたコピー鍵が光ディスクのコピーを許可するコピー鍵であるか否かを判別するとともに、光ディスクの許可されたコピー回数が終了したか否かを判別する判別手段と、前記判別手段の判別結果に基づいて、ＡＧＣ回路をコピーガード信号に応答しないモード、或いは応答するモードに切り換えるモード切換手段とを備えたことを特徴とする複合電子装置。
【請求項３】
前記モード切換手段は、前記判別手段により前記リモコン装置から送信されたコピー鍵が光ディスクのコピーを許可するコピー鍵であると判別された場合、ＡＧＣ回路をコピーガード信号に応答しないモードに切り換えるモード切換手段であることを特徴とする請求項２記載の複合電子装置。
【請求項４】
前記モード切換手段は、前記判別手段により前記リモコン装置から送信されたコピー鍵が光ディスクのコピーを許可するコピー鍵でないと判別された場合、ＡＧＣ回路をコピーガード信号に応答するモードに切り換えるモード切換手段であることを特徴とする請求項２記載の複合電子装置。
【請求項５】
前記モード切換手段は、前記判別手段により光ディスクの許可されたコピー回数が終了したと判別された場合、ＡＧＣ回路をコピーガード信号に応答するモードに切り換えるモード切換手段であることを特徴とする請求項２記載の複合電子装置。
【請求項６】
前記通信手段は、ネットワークを介して課金管理サーバに接続されたコンピュータであることを特徴とする請求項１又は請求項２のいずれかに記載の複合電子装置。
【請求項７】
前記通信手段は、ネットワークを介して課金管理サーバに接続された携帯電話であることを特徴とする請求項１又は請求項２のいずれかに記載の複合電子装置。
【考案の詳細な説明】
【０００１】
【考案の属する技術分野】本考案は、ＤＶＤ（Ｄｉｇｉｔａｌ　Ｖｅｒｓａｔｉｌｅ　Ｄｉｓｃ）等の光ディスクに記録された映像音声信号を再生する光ディスク装置と磁気テープに映像音声信号を記録再生するビデオ装置とが一体に組み込まれた複合電子装置に係り、特にネットワークを介して課金管理サーバよりコピー鍵を入手して、光ディスクに記録された映像音声信号を磁気テープに有料コピーすることができる複合電子装置に関する。
【０００２】
【従来の技術】ユーザが光ディスクに記録された映像音声信号を磁気テープにコピーしたいという要望がある。しかし、光ディスクから再生された映像信号には、図２に示すように、映像信号の垂直ブランキング期間にコピーガード信号が重畳されていて、光ディスクから再生された映像音声信号を磁気テープに記録しても、磁気テープに記録された映像音声信号を再生した場合、映像が正常に再生されないようになっている。そのため、ユーザが光ディスクに記録された映像音声信号を磁気テープに正常にコピーすることができないという問題点があった。
【０００３】従来の技術としては、コンテンツデータをコンテンツデータの販売毎の再生鍵データで暗号化するとともに再生鍵データを１次暗号化して、暗号化コンテンツデータと１次暗号化再生鍵データをコンテンツ販売システムの販売元端末装置に供給し、コンテンツ販売システムの販売元端末装置により１次暗号化再生鍵データを販売先端末装置から送信されたＩＤで２次暗号化して、暗号化コンテンツデータと２次暗号化再生鍵データを販売先端末装置に伝送し、コンテンツ販売システムの販売先端末装置により２次暗号化再生鍵データを自己の端末ＩＤで１次暗号化再生鍵データに復号して１次暗号化再生鍵データを元の再生鍵データに復号し、元の再生鍵データで暗号化コンテンツデータを復号するようにしたものがあった（例えば、特許文献１参照）。
【０００４】また、配給元の装置でコンテンツを所定の暗号化キーで暗号化してメディアに書き込み、書き込まれたメディアを輸送手段で配給先まで輸送して、配給先の装置にメディアをセットし、配給先の装置が暗号解読キーを用いてメディアに書き込まれたコンテンツを解読して、解読したコンテンツを配給先に配給するようにしたものがあった（例えば、特許文献２参照）。
【０００５】
【特許文献１】特開２０００−２９８９４３号公報
【特許文献２】特開２００２−３３５２３６号公報
【０００６】
【考案が解決しようとする課題】しかしながら、従来の技術で述べたもののうち前者においては、コンテンツデータをコンテンツデータの販売毎の再生鍵データで暗号化するとともに再生鍵データを１次暗号化して、暗号化コンテンツデータと１次暗号化再生鍵データをコンテンツ販売システムの販売元端末装置に供給し、コンテンツ販売システムの販売元端末装置により１次暗号化再生鍵データを販売先端末装置から送信されたＩＤで２次暗号化して、暗号化コンテンツデータと２次暗号化再生鍵データを販売先端末装置に伝送し、コンテンツ販売システムの販売先端末装置により２次暗号化再生鍵データを自己の端末ＩＤで１次暗号化再生鍵データに復号して１次暗号化再生鍵データを元の再生鍵データに復号し、元の再生鍵データで暗号化コンテンツデータを復号することができたが、この技術を適用しても、ユーザが光ディスクに記録された映像音声信号を磁気テープに正常にコピーすることができないという問題点があった。
【０００７】また、後者においては、配給元の装置でコンテンツを所定の暗号化キーで暗号化してメディアに書き込み、書き込まれたメディアを輸送手段で配給先まで輸送して、配給先の装置にメディアをセットし、配給先の装置が暗号解読キーを用いてメディアに書き込まれたコンテンツを解読して、解読したコンテンツを配給先に配給することができたが、上記同様に、ユーザが光ディスクに記録された映像音声信号を磁気テープに正常にコピーすることができないという問題点があった。
【０００８】本考案は、従来の技術の有するこのような問題点に鑑みてなされたものであり、その目的とするところは、ネットワークを介して課金管理サーバより光ディスクのコピーを許可するコピー鍵を入手し、光ディスクに記録された映像音声信号を再生して、再生された映像音声信号を磁気テープに有料コピーすることができる複合電子装置を提供しようとするものである。
【０００９】
【課題を解決するための手段】上記目的を達成するために、本考案における複合電子装置は、光ディスクに記録された映像音声信号を再生する光ディスク装置と磁気テープに映像音声信号を記録再生する磁気テープ装置とが一体に組み込まれた複合電子装置であって、ネットワークを介して課金管理サーバに光ディスクのコンテンツ番号と課金決済口座番号とを送信して、課金管理サーバより該コンテンツ番号の光ディスクのコピーを許可するコピー鍵を受信する通信手段と、複合電子装置を遠隔操作するリモコン装置に前記通信手段により受信されたコピー鍵を転送する転送手段と、前記リモコン装置から送信されたコピー鍵を受信して、前記リモコン装置から送信されたコピー鍵が光ディスクのコピーを許可するコピー鍵であるか否かを判別するとともに、光ディスクの許可されたコピー回数が終了したか否かを判別する判別手段と、前記判別手段の判別結果に基づいて、ＡＧＣ回路をコピーガード信号に応答しないモード、或いは応答するモードに切り換えるモード切換手段とを備える。
【００１０】前記モード切換手段は、前記判別手段により前記リモコン装置から送信されたコピー鍵が光ディスクのコピーを許可するコピー鍵であると判別された場合、ＡＧＣ回路をコピーガード信号に応答しないモードに切り換えるようにする。
【００１１】また、前記モード切換手段は、前記判別手段により前記リモコン装置から送信されたコピー鍵が光ディスクのコピーを許可するコピー鍵でないと判別された場合、ＡＧＣ回路をコピーガード信号に応答するモードに切り換えるようにする。
【００１２】また、前記モード切換手段は、前記判別手段により光ディスクの許可されたコピー回数が終了したと判別された場合、ＡＧＣ回路をコピーガード信号に応答するモードに切り換えるようにする。
【００１３】前記通信手段は、ネットワークを介して課金管理サーバに接続されたコンピュータであるとよい。
【００１４】また、前記通信手段は、ネットワークを介して課金管理サーバに接続された携帯電話であってもよい。
【００１５】上記のように構成することにより、ネットワークを介して課金管理サーバより光ディスクのコピーを許可するコピー鍵を入手し、光ディスクに記録された映像音声信号を再生して、再生された映像音声信号を磁気テープに有料コピーすることができる。
【００１６】
【考案の実施の形態】以下、適宜図面を参照しながら本考案の実施の形態を詳述する。図１は本考案の実施の形態に係る複合電子装置の構成を示すブロック図であり、図２は映像信号の垂直ブランキング期間に重畳されたコピーガード信号を示す説明図であり、図３は本考案の実施の形態に係る複合電子装置のコピー鍵の受信動作を示すフローチャートであり、図４は本考案の実施の形態に係る複合電子装置のコピー動作を示すフローチャートであり、図５は本考案の実施の形態に係る他の複合電子装置の構成を示すブロック図である。
【００１７】まず、図１の本考案の実施の形態に係る複合電子装置の構成を示すブロック図を基に説明する。
【００１８】複合電子装置１０は、光ディスクに記録された映像音声信号を再生する光ディスク再生部１１と、映像信号を所定の信号レベルに自動調整するＡＧＣ（Ａｕｔｏｍａｔｉｃ　Ｇａｉｎ　Ｃｏｎｔｒｏｌ）回路１２と、磁気テープに映像音声信号を記録再生する磁気テープ記録再生部１３と、複合電子装置１０のシステム全体を制御するマイコン１４と、複合電子装置１０を遠隔操作するリモコン装置２０から送信された赤外線信号のリモコン信号を受信して、所定の電気信号に変換するリモコン受信部１５と、キーボード３１が接続されたコンピュータ３０と、ネットワーク６０を介して課金管理サーバ７０に接続するモデム３２とで構成されている。
【００１９】以上のように構成された複合電子装置について、以下その動作について説明する。
【００２０】光ディスクのコピーを所望する場合、ユーザは、コンピュータ３０のキーボード３１を操作して、モデム３２によりネットワーク６０を介して課金管理サーバ７０の有料コピー専用サイトにコンピュータ３０を接続する。コンピュータ３０が課金管理サーバ７０の有料コピー専用サイトに接続され、課金管理サーバ７０より送信された光ディスクのコンテンツ番号リストが受信されると、受信された光ディスクのコンテンツ番号リストがコンピュータ３０のモニタ装置（図示せず）の画面に表示される。ユーザは、キーボード３１を操作して、モニタ装置の画面に表示されたコンテンツ番号リストの中からコピーを所望するコンテンツ番号を入力し、コンテンツ番号をコンピュータ３０から課金管理サーバ７０に送信する。
【００２１】課金管理サーバ７０にコンテンツ番号が送信されると、課金管理サーバ７０からコンピュータ３０に送信されたコンテンツ番号の光ディスクのコピーを要求するか否かが問い合わせられ、ユーザは、送信したコンテンツ番号の光ディスクのコピーを要望する場合、キーボード３１を操作して、コピーの要求をコンピュータ３０から課金管理サーバ７０に送信する。また、ユーザは、送信したコンテンツ番号の光ディスクのコピーの要求を取り消す場合、キーボード３１を操作して、コピーの要求を中止することができるようになっている。
【００２２】コピーの要求がコンピュータ３０から課金管理サーバ７０にネットワーク６０を介して送信されると、課金管理サーバ７０からコンピュータ３０に課金決済口座番号が要求され、ユーザは、キーボード３１を操作して、課金決済口座番号をコンピュータ３０に入力し、課金決済口座番号をコンピュータ３０から課金管理サーバ７０に送信する。
【００２３】課金決済口座番号がコンピュータ３０からネットワーク６０を介して課金管理サーバ７０に送信されると、送信された課金決済口座番号が照合され、課金管理サーバ７０からコンピュータ３０にコンテンツ番号の光ディスクのコピーの許可、或いはコピーの不許可が送信され、課金決済口座番号の照合結果によりコピーが許可された場合、ユーザは、課金管理サーバ７０よりネットワーク６０を介してコンピュータ３０に送信されたコピー鍵を受信する。そして、ユーザは、キーボード３１を操作して、受信したコピー鍵をコンピュータ３０からリモコン装置２０に転送する。また、課金決済口座番号の照合結果によりコピーが許可されなかった場合、例えば、課金決済口座番号の番号誤り等によりコピーが許可されなかった場合、ユーザは、課金管理サーバに課金決済口座番号を再度送信して、コピー鍵を受信することができるようになっている。
【００２４】リモコン装置２０の録画キー（図示せず）の操作により録画を指令するリモコン信号とコピー鍵のリモコン信号とが送信されると、リモコン受信部１５により受信され、所定の電気信号に変換されて、マイコン１４に送出される。マイコン１４は、録画を指令するリモコン信号を受信すると、光ディスク再生部１１に制御信号を送出して、光ディスク再生部１１に装着された光ディスクからコンテンツ番号を読み出し、リモコン装置２０から送信されたコピー鍵が光ディスクから読み出されたコンテンツ番号のコピー鍵であるか否かを判断して、コピー鍵が光ディスクから読み出されたコンテンツ番号のコピー鍵である場合、許可されたコピー回数、例えば２回のコピー回数が終了したか否かを判断し、許可されたコピー回数が終了してない場合、ＡＧＣ回路１２に制御信号を送出して、ＡＧＣ回路１２を映像信号の垂直ブランキング期間に重畳されたコピーガード信号（図２参照）に応答しないモードに切り換え、コピー回数を加算して、光ディスク再生部１１と磁気テープ記録再生部１３とに制御信号を送出し、光ディスクに記録された映像音声信号を再生して、再生された映像音声信号を磁気テープに記録する。これにより、ユーザは、光ディスクに記録された映像音声信号を再生して、再生された映像音声信号を磁気テープに正常に有料コピーすることができる。
【００２５】また、マイコン１４は、リモコン装置２０から送信されたコピー鍵が光ディスクから読み出されたコンテンツ番号と一致しない場合、或いは光ディスクの許可されたコピー回数が終了した場合、ＡＧＣ回路１２に制御信号を送出して、ＡＧＣ回路１２を映像信号の垂直ブランキング期間に重畳されたコピーガード信号（図２参照）に応答するモードに切り換える。これにより、光ディスクに記録された映像音声信号を再生して、再生された映像音声信号を磁気テープに記録しても、映像信号が磁気テープに正常に記録されないため、磁気テープから再生された映像は正常に再生されないので、違法コピーを防止して著作権を保護することができる。
【００２６】次に、図３の本考案の実施の形態に係る複合電子装置のコピー鍵の受信動作を示すフローチャートを基に説明する。
【００２７】コンピュータがネットワークを介して課金管理サーバの有料コピー専用サイトに接続され、光ディスクのコンテンツ番号リストが表示されると、ステップＳ１からステップＳ２に進み、ステップＳ２で、キーボードの操作によりコピーを所望する光ディスクのコンテンツ番号がコンピュータに入力され、コンピュータから課金管理サーバにコンテンツ番号が送信され、ステップＳ３に進む。
【００２８】ステップＳ３で、課金管理サーバからコンピュータに送信されたコンテンツ番号の光ディスクのコピーを要求するか否かが問い合わせられ、キーボードの操作によりコピーの要求がコンピュータから課金管理サーバにネットワークを介して送信された場合、ステップＳ４に進み、キーボードの操作によりコピーの要求が取り消された場合、ステップＳ８に進んで処理を終了する。
【００２９】ステップＳ４で、課金管理サーバからコンピュータに要求された課金決済口座番号がキーボードの操作によりコンピュータに入力され、コンピュータから課金管理サーバに課金決済口座番号が送信され、ステップＳ５に進む。
【００３０】ステップＳ５で、コンピュータから課金管理サーバに送信された課金決済口座番号が照合され、コンピュータから送信されたコンテンツ番号の光ディスクのコピーが許可されたか否かが判断され、課金決済口座番号の照合結果によりコピーが許可された場合、ステップＳ６に進み、課金決済口座番号の照合結果によりコピーが許可されなかった場合、ステップＳ３に戻って、ステップＳ３からのステップを繰り返す。
【００３１】ステップＳ６で、課金管理サーバよりネットワークを介してコンピュータに送信されたコンテンツ番号の光ディスクのコピーを許可するコピー鍵を受信して、ステップＳ７に進む。
【００３２】ステップＳ７で、課金管理サーバよりネットワークを介して受信されたコピー鍵が、キーボードの操作によりコンピュータからリモコン装置に転送され、ステップＳ８に進んで処理を終了する。
【００３３】また、図４の本考案の実施の形態に係る複合電子装置のコピー動作を示すフローチャートを基に説明する。
【００３４】リモコン装置の録画キーの操作により録画を指令するリモコン信号とコピー鍵のリモコン信号とが受信されると、ステップＳ１１からステップＳ１２に進み、ステップＳ１２で、光ディスク再生部に装着された光ディスクからコンテンツ番号が読み出され、ステップＳ１３に進む。
【００３５】ステップＳ１３で、受信されたコピー鍵が光ディスクから読み出されたコンテンツ番号のコピー鍵であるか否かが判断され、受信されたコピー鍵が光ディスクから読み出されたコンテンツ番号のコピー鍵である場合、ステップＳ１４に進み、受信されたコピー鍵が光ディスクから読み出されたコンテンツ番号のコピー鍵でない場合、ステップＳ１６に進む。
【００３６】ステップＳ１４で、許可されたコピー回数が終了したか否かが判断され、許可されたコピー回数が終了した場合、ステップＳ１６に進み、許可されたコピー回数が終了していない場合、ステップＳ１５に進む。
【００３７】ステップＳ１５で、ＡＧＣ回路が映像信号の垂直ブランキング期間に重畳されたコピーガード信号に応答しないモードに切り換えられて、コピー回数が加算され、ステップＳ１７に進む。
【００３８】ステップＳ１６で、ＡＧＣ回路が映像信号の垂直ブランキング期間に重畳されたコピーガード信号に応答するモードに切り換えられて、ステップＳ１７に進む。
【００３９】ステップＳ１７で、光ディスクに記録された映像音声信号が再生され、再生された映像音声信号が磁気テープに記録され、ステップＳ１８に進んで処理を終了する。
【００４０】なお、図５は、本考案の実施の形態に係る他の複合電子装置の構成を示すブロック図である。図５では、携帯電話中継局５０を経由してネットワーク６０を介して課金管理サーバ７０の有料コピー専用サイトに携帯電話４０を接続し、課金管理サーバ７０にコピーを所望する光ディスクのコンテンツ番号を送信して、課金管理サーバ７０からコピー鍵を受信するようにしている。図１と同一部分には同一符号を付して説明を省略する。また、図５の複合電子装置は、携帯電話により上記同様の動作が可能である。
【００４１】
【考案の効果】以上説明してきたように、本考案による複合電子装置によれば、ネットワークを介して課金管理サーバに光ディスクのコンテンツ番号と課金決済口座番号とを送信して、課金管理サーバより該コンテンツ番号の光ディスクのコピーを許可するコピー鍵を受信し、受信されたコピー鍵をリモコン装置に転送して、リモコン装置から送信されたコピー鍵を受信し、リモコン装置から送信されたコピー鍵が光ディスクのコピーを許可するコピー鍵であるか否かを判別するとともに、光ディスクの許可されたコピー回数が終了したか否かを判別し、リモコン装置から送信されたコピー鍵が光ディスクのコピーを許可するコピー鍵である場合、ＡＧＣ回路をコピーガード信号に応答しないモードに切り換え、光ディスクに記録された映像音声信号を再生して、再生された映像音声信号を磁気テープに正常に記録することができる。また、リモコン装置から送信されたコピー鍵が光ディスクのコピーを許可するコピー鍵でない場合、或いは光ディスクの許可されたコピー回数が終了した場合、ＡＧＣ回路をコピーガード信号に応答するモードに切り換え、光ディスクに記録された映像音声信号を磁気テープに正常に記録することができないようにすることができる。このことにより、ネットワークを介して課金管理サーバより光ディスクのコピーを許可するコピー鍵を入手し、光ディスクに記録された映像音声信号を再生して、再生された映像音声信号を磁気テープに有料コピーすることができる。
【００４２】請求項１記載の考案に係る複合電子装置は、ネットワークを介して課金管理サーバに光ディスクのコンテンツ番号と課金決済口座番号とを送信して、課金管理サーバより該コンテンツ番号の光ディスクのコピーを許可するコピー鍵を受信し、複合電子装置を遠隔操作するリモコン装置に受信されたコピー鍵を転送して、リモコン装置から送信されたコピー鍵を受信し、リモコン装置から送信されたコピー鍵が光ディスクのコピーを許可するコピー鍵であるか否かを判別するとともに、光ディスクの許可されたコピー回数が終了したか否かを判別し、リモコン装置から送信されたコピー鍵が光ディスクのコピーを許可するコピー鍵であると判別された場合、ＡＧＣ回路をコピーガード信号に応答しないモードに切り換え、リモコン装置から送信されたコピー鍵が光ディスクのコピーを許可するコピー鍵でないと判別された場合、或いは光ディスクの許可されたコピー回数が終了したと判別された場合、ＡＧＣ回路をコピーガード信号に応答するモードに切り換えるようにしている。
【００４３】請求項２記載の考案に係る複合電子装置は、ネットワークを介して課金管理サーバに光ディスクのコンテンツ番号と課金決済口座番号とを送信して、課金管理サーバより該コンテンツ番号の光ディスクのコピーを許可するコピー鍵を受信し、複合電子装置を遠隔操作するリモコン装置に受信されたコピー鍵を転送して、リモコン装置から送信されたコピー鍵を受信し、リモコン装置から送信されたコピー鍵が光ディスクのコピーを許可するコピー鍵であるか否かを判別するとともに、光ディスクの許可されたコピー回数が終了したか否かを判別し、判別結果に基づいてＡＧＣ回路をコピーガード信号に応答しないモード、或いは応答するモードに切り換えるようにしている。
【００４４】請求項３記載の考案に係る複合電子装置は、リモコン装置から送信されたコピー鍵が光ディスクのコピーを許可するコピー鍵であると判別された場合、ＡＧＣ回路をコピーガード信号に応答しないモードに切り換えるようにしている。
【００４５】請求項４記載の考案に係る複合電子装置は、リモコン装置から送信されたコピー鍵が光ディスクのコピーを許可するコピー鍵でないと判別された場合、ＡＧＣ回路をコピーガード信号に応答するモードに切り換えるようにしている。
【００４６】請求項５記載の考案に係る複合電子装置は、光ディスクの許可されたコピー回数が終了したと判別された場合、ＡＧＣ回路をコピーガード信号に応答するモードに切り換えるようにしている。
【００４７】請求項６記載の考案に係る複合電子装置は、ネットワークを介して課金管理サーバに接続されたコンピュータにより通信するようにしている。
【００４８】請求項７記載の考案に係る複合電子装置は、ネットワークを介して課金管理サーバに接続された携帯電話により通信するようにしている。
【図面の簡単な説明】
【図１】本考案の実施の形態に係る複合電子装置の構成を示すブロック図である。
【図２】映像信号の垂直ブランキング期間に重畳されたコピーガード信号を示す説明図である。
【図３】本考案の実施の形態に係る複合電子装置のコピー鍵の受信動作を示すフローチャートである。
【図４】本考案の実施の形態に係る複合電子装置のコピー動作を示すフローチャートである。
【図５】本考案の実施の形態に係る他の複合電子装置の構成を示すブロック図である。
【符号の説明】
１０　複合電子装置
１１　光ディスク再生部
１２　ＡＧＣ回路
１３　磁気テープ記録再生部
１４　マイコン
１５　リモコン受信部
２０　リモコン装置
３０　コンピュータ
３１　キーボード
３２　モデム
４０　携帯電話
５０　携帯電話中継局
６０　ネットワーク
７０　課金管理サーバ
【図１】
0003096935.tif 000003
【図２】
0003096935.tif 000004
【図３】
0003096935.tif 000005
【図４】
0003096935.tif 000006
【図５】
0003096935.tif 000007